(57)【特許請求の範囲】
【請求項１】
無線通信が可能な移動無線端末装置において、
電子マネーを蓄積し電気的接続により前記電子マネーを入出力可能な接触型電子マネー記憶手段を電気的に接続可能な接続手段と、
電子マネーを蓄積し無線通信により前記電子マネーを入出力可能な非接触型電子マネー記憶手段と、
前記接続手段に接続される接触型電子マネー記憶手段と、非接触型電子マネー記憶手段との間で、一方の記憶手段に蓄積される電子マネーを他方の記憶手段に転送する転送制御手段とを具備することを特徴とする移動無線端末装置。
【請求項２】
利用者から金額の指定を受け付ける入力手段を備え、
前記転送制御手段は、前記接続手段に接続される接触型電子マネー記憶手段と、非接触型電子マネー記憶手段との間で、一方の記憶手段に蓄積される電子マネーのうち、前記入力手段にて受け付けた金額の電子マネーを他方の記憶手段に転送することを特徴とする請求項１に記載の移動無線端末装置。
【請求項３】
少なくとも電子マネーの出力を行う端末装置と、電子マネーを蓄積し電気的接続により前記電子マネーを入出力可能な接触型電子マネー記憶手段とを電気的に接続し、前記端末装置から前記接触型電子マネー記憶手段に電子マネーを転送する引出工程と、
前記接触型電子マネー記憶手段を、無線通信が可能な移動無線端末装置に電気的に接続する接続工程と、
前記移動無線端末装置に備えられ、電子マネーを蓄積し無線通信により前記電子マネーを入出力可能な非接触型電子マネー記憶手段と、前記移動無線端末装置に接続された接触型電子マネー記憶手段との間で、一方の記憶手段に蓄積される電子マネーを他方の記憶手段に転送する転送制御工程とを具備することを特徴とする電子マネー転送方法。
【請求項４】
少なくとも電子マネーの出力を行う端末装置と、無線通信が可能な移動無線端末装置に備えられ、電子マネーを蓄積し無線通信により前記電子マネーを入出力可能な非接触型電子マネー記憶手段とを無線接続し、前記端末装置から前記非接触型電子マネー記憶手段に電子マネーを無線転送する引出工程と、
電子マネーを蓄積し電気的接続により前記電子マネーを入出力可能な接触型電子マネー記憶手段を、前記移動無線端末装置に電気的に接続する接続工程と、
前記非接触型電子マネー記憶手段と、前記移動無線端末装置に接続された接触型電子マネー記憶手段との間で、一方の記憶手段に蓄積される電子マネーを他方の記憶手段に転送する転送制御工程とを具備することを特徴とする電子マネー転送方法。
【請求項５】
前記移動無線端末装置の利用者から金額の指定を受け付ける入力工程を備え、
前記転送制御工程は、前記移動無線端末装置に接続される接触型電子マネー記憶手段と、前記非接触型電子マネー記憶手段との間で、一方の記憶手段に蓄積される電子マネーのうち、前記入力工程にて受け付けた金額の電子マネーを他方の記憶手段に転送することを特徴とする請求項３または請求項４に記載の電子マネー転送方法。
【発明の詳細な説明】
【０００１】
【発明の属する技術分野】
この発明は、ＩＣカードに蓄積される電子マネーの電子マネー転送方法に関する。
【０００２】
【従来の技術】
近時、クレジットカードを使わない新しい決済手段として、様々な電子マネーが考案され、実用化されつつある。
電子マネーとはバリュー（貨幣価値）をデジタル・データに置き換えたもので、その代表的なものとして、プラスチック製のカードに組み込んだＩＣチップにバリューを蓄積する「ＩＣカード型」と、インターネットのオンライン・ショッピングでの利用を想定した、バリューのやりとりをソフトウエアだけで実現する「ネットワーク型」がある。
【０００３】
このうち、ＩＣカード型電子マネーで用いられるＩＣカードは、「接触型」と「非接触型」に大別される。そして、サービス提供事業者は、処理スピード、バリュー支払い時の暗証番号入力の要否、利用金額の多寡、ＩＣカードおよびバリュー入出力端末機のメンテナンスなどの要否に応じて、対応する決済システムを準備する。
【０００４】
例えば、接触型ＩＣカードを用いた決済システムでは、バリュー支払い時に暗証番号入力を行うため、比較的セキュリティーが高く、主として小売店での通常の物品購入に好適し、一方、非接触型ＩＣカードを用いた決済システムでは、即時性が高いため、例えば電車やバスなどの交通系の運賃支払いに好適する。
【０００５】
したがって、利用者は、「接触型」と「非接触型」の２種のＩＣカードを所有して、提供されるサービスに応じて使い分けることが想定される。
しかしながら、状況によっては、接触型ＩＣカードの残高が十分に存在するにもかかわらず、非接触型ＩＣカードの残高がなくなり、利用者の利便性が損なわれる虞がある。
【０００６】
また、ＩＣカードへのバリューの書き込み（チャージ）は、銀行の現金自動預け払い機（もしくは現金自動支払い機）で行うことが想定されているが、銀行の店舗によっては、セキュリティーの高い接触型ＩＣカードにのみ対応する現金自動預け払い機しか設置していない場合も考えられ、非接触型ＩＣカードの利便性が損なわれる虞がある。
【０００７】
さらに、逆に将来的には、メンテナンス性が高い非接触型ＩＣカードのみに対応する現金自動預け払い機（もしくは現金自動支払い機）が一般的となり、接触型ＩＣカードへのバリューチャージが限られた端末機でしか行えなくなり、接触型ＩＣカードの利便性が損なわれることも考えられる。
【０００８】
【発明が解決しようとする課題】
電子マネーによる従来の決済システムでは、接触型ＩＣカードと非接触型ＩＣカードが存在し、それぞれの長所から利用者は両方を所有することが考えられるが、いずれのＩＣカードに対しても、バリューチャージが、どの銀行でも対応可能であるとは限らず、その利便性が損なわれる虞があるという問題があった。
【０００９】
この発明は上記の問題を解決すべくなされたもので、バリューチャージを行う端末機が、接触型ＩＣカードと非接触型ＩＣカードとのうち、いずれか一方にしか対応しない場合でも、両カードの利便性を損なうことのない移動無線端末装置および電子マネー転送方法を提供することを目的とする。
【００１０】
【課題を解決するための手段】
上記の目的を達成するために、請求項１に係わる本発明は、無線通信が可能な移動無線端末装置において、電子マネーを蓄積し電気的接続により電子マネーを入出力可能な接触型電子マネー記憶手段を電気的に接続可能な接続手段と、電子マネーを蓄積し無線通信により電子マネーを入出力可能な非接触型電子マネー記憶手段と、接続手段に接続される接触型電子マネー記憶手段と、非接触型電子マネー記憶手段との間で、一方の記憶手段に蓄積される電子マネーを他方の記憶手段に転送する転送制御手段とを具備して構成するようにした。
【００１１】
また、請求項３に係わる本発明は、電子マネー転送方法を、少なくとも電子マネーの出力を行う端末装置と、電子マネーを蓄積し電気的接続により電子マネーを入出力可能な接触型電子マネー記憶手段とを電気的に接続し、端末装置から接触型電子マネー記憶手段に電子マネーを転送する引出工程と、接触型電子マネー記憶手段を、無線通信が可能な移動無線端末装置に電気的に接続する接続工程と、移動無線端末装置に備えられ、電子マネーを蓄積し無線通信により電子マネーを入出力可能な非接触型電子マネー記憶手段と、移動無線端末装置に接続された接触型電子マネー記憶手段との間で、一方の記憶手段に蓄積される電子マネーを他方の記憶手段に転送する転送制御工程とを具備して構成するようにした。
【００１２】
そして、請求項４に係わる本発明は、電子マネー転送方法を、少なくとも電子マネーの出力を行う端末装置と、無線通信が可能な移動無線端末装置に備えられ、電子マネーを蓄積し無線通信により電子マネーを入出力可能な非接触型電子マネー記憶手段とを無線接続し、端末装置から非接触型電子マネー記憶手段に電子マネーを無線転送する引出工程と、電子マネーを蓄積し電気的接続により電子マネーを入出力可能な接触型電子マネー記憶手段を、移動無線端末装置に電気的に接続する接続工程と、非接触型電子マネー記憶手段と、移動無線端末装置に接続された接触型電子マネー記憶手段との間で、一方の記憶手段に蓄積される電子マネーを他方の記憶手段に転送する転送制御工程とを具備して構成するようにした。
【００１３】
上記構成の移動無線端末装置および電子マネー転送方法では、電気的接続により電子マネーを入出力可能な接触型電子マネー記憶手段が移動無線端末装置に電気的に接続され、この接触型電子マネー記憶手段と、移動無線端末装置が内蔵する非接触型電子マネー記憶手段との間で、一方の記憶手段に蓄積される電子マネーを他方の記憶手段に転送するようにしている。
【００１４】
したがって、上記構成の移動無線端末装置および電子マネー転送方法によれば、一方の記憶手段に対してだけバリューチャージが行えれば、支払方法が接触型でも非接触型でも電子マネーによる決済が可能となり、利用者の利便性が向上する。
【００１５】
また、銀行などの電子マネーを預かる側にとっても、接触型電子マネー記憶手段用の端末機と、非接触型電子マネー記憶手段の端末機を、両方設ける必要がなくなり、コストを大幅に削減することができる。
【００１６】
【発明の実施の形態】
以下、図面を参照して、この発明の一実施形態について説明する。
図１は、この発明に関わる移動無線端末装置の構成を示すもので、ここでは、携帯電話システムの端末装置、すなわち携帯電話機を例に挙げて説明する。
【００１７】
なお、以下の説明では、携帯電話機としての通常の機能を発揮するための構成については、従来と同様であることより図示および説明を省略し、本発明に関わる構成を中心に説明する。
【００１８】
この図に示す携帯電話機は、新たにカードインターフェイス（Ｉ／Ｆ）１０と、非接触型ＩＣチップ２０と、キー入力部３０、表示部４０と、電子マネー転送制御部１００とを備える。
【００１９】
カードインターフェイス１０は、接触型ＩＣカードを接続するためのインターフェイスで、後述する電子マネー転送制御部１００の制御により、接触型ＩＣカードに記憶される電子マネーのバリューの入出力を行う。
【００２０】
非接触型ＩＣチップ２０は、非接触型ＩＣカードと同等の機能を備えるもので、電子マネーのバリューを記憶し、例えば自動改札機などの非接触型の電子マネー決済端末からの要求に応じて、所定のバリューを無線通信により支払う機能を備える。
【００２１】
キー入力部３０は、携帯電話機にダイヤル発信などのために通常備えられるテンキーなどのキー入力部である。
表示部４０は、ＬＣＤ（Liquid Crystal Display）などの表示部で、種々の情報を表示可能する。
【００２２】
電子マネー転送制御部１００は、フラッシュメモリとマイクロプロセッサからなり、上記フラッシュメモリに記憶されるプログラムにしたがって、上記マイクロプロセッサが、カードインターフェイス１０に接続される接触型ＩＣカードから電子マネーを読み出し、そのバリューを上記非接触型ＩＣチップ２０に記録するための種々の制御を行うものである。
【００２３】
次に、上記構成の携帯電話機のバリュー転送制御動作について説明する。図２は、その制御処理を説明するためのフローチャートである。この処理は、電子マネー転送制御部１００によってなされ、接触型ＩＣカードがカードインターフェイス１０に接続され、キー入力部３０を通じて利用者から要求が生じると開始される。
【００２４】
まず、ステップ２ａでは、カードインターフェイス１０を制御して、接触型ＩＣカードに記憶される暗証番号を読み出し、ステップ２ｂに移行する。
ステップ２ｂでは、表示部４０を駆動制御して、利用者に暗証番号の入力を求める表示を行い、キー入力部３０を通じて暗証番号の入力を受け付け、ステップ２ｃに移行する。
【００２５】
ステップ２ｃでは、ステップ２ａで読み出した暗証番号と、ステップ２ｂで受け付けた暗証番号が一致するか否かを判定する。ここで、暗証番号が一致する場合には、ステップ２ｄに移行する。
【００２６】
またここで、暗証番号が一致しない場合には、ステップ２ｅに移行して、表示部４０を駆動制御し、暗証番号が正しくない旨を表示し、再びステップ２ｂに移行して、暗証番号の再入力を利用者に促す。
【００２７】
ステップ２ｄでは、カードインターフェイス１０を制御して、接触型ＩＣカードに記憶されるバリューの残高を読み出し、ステップ２ｆに移行する。
ステップ２ｆでは、表示部４０を駆動制御して、当該携帯電話機に引き出したいバリューの入力を求める表示を行い、キー入力部３０を通じて引き出したいバリューの入力を受け付け、ステップ２ｇに移行する。
【００２８】
ステップ２ｇでは、ステップ２ｄで読み出したバリュー残高が、ステップ２ｆで受け付けた引き出したいバリューの値以上であるか否かを判定する。ここで、引き出したいバリューの値以上である場合には、ステップ２ｈに移行する。
【００２９】
またここで、引き出したいバリューの値未満である場合には、ステップ２ｉに移行して、表示部４０を駆動制御し、要求されたバリューが引き出せない旨を示すエラー表示を行い、再びステップ２ｆに移行して、引き出したいバリューの値の再入力を利用者に促す。
【００３０】
ステップ２ｈでは、カードインターフェイス１０を制御して、接触型ＩＣカードに記憶されるバリュー残高から、ステップ２ｆで受け付けた引き出したいバリューの値を減算するとともに、ステップ２ｆで受け付けた引き出したいバリューの値を非接触型ＩＣチップ２０に記憶されるバリュー残高に加算し、当該処理を終了する。
【００３１】
以上のように、上記構成の携帯電話機では、キー入力部３０を通じた利用者からの要求に応じ、カードインターフェイス１０を通じて、接触型ＩＣカードに蓄積されるバリューを、自機内の非接触型ＩＣチップ２０に転送するようにしている。
【００３２】
したがって、上記構成の携帯電話機によれば、図３に示すように、現金自動預け払い機（ＡＴＭ）が接触型ＩＣカードにのみ対応し、非接触型ＩＣカードには対応せず、利用者の口座からバリューを非接触型ＩＣチップ２０にチャージできない場合でも、一旦、接触型ＩＣカードにバリューをチャージし、その後、必要に応じて利用者が、接触型ＩＣカード内のバリューを、当該携帯電話機内の非接触型ＩＣチップ２０に転送させることができる。
【００３３】
このため、利用者は、接触型ＩＣカードに対してだけバリューチャージが行えれば、接触型でも非接触型でも電子マネーによる決済が可能となって、利用者の利便性が向上する。
【００３４】
また、銀行などの電子マネーを預かる側にとっても、接触型ＩＣカード用のバリューチャージ端末機と、非接触型ＩＣカードのバリューチャージ端末機を、両方設ける必要がなくなり、コストを大幅に削減することができる。
【００３５】
尚、この発明は上記実施の形態に限定されるものではない。例えば、上記実施の形態では、携帯電話機に接触型ＩＣカードを接続可能なカードインターフェイス１０を設けるものとした。
これに代わって例えば、近時、携帯電話機に標準で搭載されるデータ通信用のインターフェイスに、外付けのカードインターフェイスを接続し、このカードインターフェイスを通じて接触型ＩＣカードからバリューを転送させるようにしてもよい。
【００３６】
また例えば、上記実施形態では、接触型ＩＣカードから非接触型ＩＣカードへのバリュー転送についてのみ説明したが、非接触型ＩＣカードから接触型ＩＣカードへバリュー転送を行うようにしてもよい。
【００３７】
この場合には、現金自動預け払い機（ＡＴＭ）が非接触型ＩＣカードにのみ対応し、接触型ＩＣカードには対応せず、利用者の口座からバリューを接触型ＩＣカードにチャージできない場合でも、一旦、非接触型ＩＣチップ２０にバリューをチャージし、その後、必要に応じて利用者が、非接触型ＩＣチップ２０内のバリューを、接触型ＩＣカードに転送させることができる。
【００３８】
さらに、電子マネー転送制御部１００の制御プログラムは、フラッシュメモリに予め記録しておいてもよいし、上記データ通信用のインターフェイスを通じて記録するものとし、必要に応じてアップデートしてもよい。
【００３９】
さらにまた、上記実施形態では、携帯電話機を例に挙げて説明したが、この他、ＰＨＳ（Personal Handyphone System）の端末装置に適用することも可能である。
その他、この発明の要旨を逸脱しない範囲で種々の変形を施しても同様に実施可能であることはいうまでもない。
【００４０】
【発明の効果】
以上述べたように、この発明では、電気的接続により電子マネーを入出力可能な接触型電子マネー記憶手段が移動無線端末装置に電気的に接続され、この接触型電子マネー記憶手段と、移動無線端末装置が内蔵する非接触型電子マネー記憶手段との間で、一方の記憶手段に蓄積される電子マネーを他方の記憶手段に転送するようにしている。
【００４１】
したがって、この発明によれば、一方の記憶手段に対してだけバリューチャージが行えれば、支払方法が接触型でも非接触型でも電子マネーによる決済が可能となり、利用者の利便性が向上するとともに、銀行などの電子マネーを預かる側にとっても、接触型電子マネー記憶手段用の端末機と、非接触型電子マネー記憶手段の端末機を、両方設ける必要がなくなり、コストを大幅に削減することが可能な移動無線端末装置および電子マネー転送方法を提供できる。
【図面の簡単な説明】
【図１】この発明に係わる携帯電話機の一実施形態の構成を示す回路ブロック図。
【図２】図１に示した携帯電話機のバリュー転送動作を説明するためのフローチャート。
【図３】図１に示した携帯電話機が用いられる電子決済システムの構成を示す図。
【符号の説明】
１０…カードインターフェイス（Ｉ／Ｆ）
２０…非接触型ＩＣチップ
３０…キー入力部
４０…表示部
１００…電子マネー転送制御部
【図１】
0004418577.tif 000002
【図２】
0004418577.tif 000003
【図３】
0004418577.tif 000004